(57)【特許請求の範囲】
【請求項１】
熱可塑性樹脂シート状物の両側端部を把持する複数の掴み装置をシート状物の両側端に配置した無端リンク装置を設け、該無端リンク装置は折尺状に形成された複数個の等長リンク装置よりなり、シート状物の入口側スプロケットより駆動され、運動方向に末広がり状に配置されたガイドレールに案内されて掴みピッチを徐々に拡大することにより、シート状物を縦横二方向に同時に延伸させた後シート状物を外し、出口側スプロケットにより駆動されて、入口側スプロケットに戻るように構成されたシート状物の同時二軸延伸機において、リンク装置の折尺となるリンクプレートのジョイント用リンク軸の最下端に取付けた玉軸受の内輪を上下に２分割し、上部内輪をリンク軸に嵌合し、この上部内輪に対して転動体を介して一体物からなる玉軸受ハウジングを上記ガイドレール側面に当接して回転させ、更にこの両者に対して下部内輪を回転自由としたことを特徴とするシート状物の同時二軸延伸機。
【請求項２】
上記玉軸受の転動体を玉に替えて円筒ころ，円すいころ，球面ころのいずれかとすることを特徴とする請求項１記載のシート状物の同時二軸延伸機。
【請求項３】
上記玉軸受の２分割した下部内輪にリンク装置の自重を支えるラジアル軸受を取付けてリンク装置の走行方向に対してこのラジアル軸受の向きが容易に且つ確実に追随可能となるようにこのラジアル軸受の回転中心位置を玉軸受の内輪中心から半径方向に偏心した位置に配置することによりリンク装置と走行路との間の走行抵抗が転がり摩擦抵抗のみとなり従来の摺動型リンク装置の走行速度より高速化させることが出来ることを特徴とする請求項１又は２記載のシート状物の同時二軸延伸機。
【請求項４】
請求項１〜３のいずれか記載の同時二軸延伸機において、玉軸受ハウジングの外形寸法は上記２本のガイドレール両内面の間隔より僅かに小さいことを特徴とするシート状物の同時二軸延伸機。
【請求項５】
請求項１〜４のいずれか記載の同時二軸延伸機において、リンク装置の鉛直方向荷重を支えるラジアル軸受の外輪の外形面を硬化処理して耐摩耗性を上げたことにより軸受寿命を延命化したことを特徴とするシート状物の同時二軸延伸機。
【請求項６】
リンク装置の鉛直方向荷重を支えるラジアル軸受とシート状物の水平方向荷重を支える玉軸受の両方をグリース封入方式の軸受とすることにより無給油化した請求項１〜５のいずれか記載のシート状物の同時二軸延伸機。
【発明の詳細な説明】
【０００１】
【発明の属する技術分野】
本発明はシート状物、例えば熱可塑性樹脂フィルム等を縦横二方向に同時に連続的に延伸するシート状物の同時二軸延伸機に関するものである。
【０００２】
【従来の技術】
従来の同時二軸延伸機のリンク装置用玉軸受は特開平８−２６７５７０号公報に提案されているように自重を受けるスラスト受けと案内溝を転動する玉軸受より構成されている。
【０００３】
【発明が解決しようとする課題】
自重を支えるためにスラスト受けを設けているタイプのリンク装置は摺動走行のため走行時の抵抗が大きく高速走行が出来ない。更には摺動部に多量の潤滑油を必要とする。そのために潤滑油がフィルムに飛散し汚れの原因となる問題がある。又、スラスト受けに替えてラジアル軸受をリンク軸に取付ける場合、縦横２方向に同時延伸する際リンク装置の進行方向とリンク軸との相対角度は任意に変化するのでリンク軸にラジアル軸受取付軸を固定するとその相対角度変化に追随させることが出来ないため、走行時にラジアル軸受にアキシアル方向の過大な荷重が軸受に作用し寿命を短くするという問題がある。本発明の目的は高速での安定した走行及び油飛散による汚れを未然に防ぐことが出来るシート状物の同時二軸延伸機を提供することにある。
【０００４】
【課題を解決するための手段】
玉軸受の強度，剛性等を玉軸受に作用する荷重より検討し内輪を上下に２分割しその内の上部内輪のみをリンク軸に嵌合する。この内輪に対して玉（転動体）を介して一体物からなる玉軸受ハウジングをガイドレール両内面に当接して回転させる。一方、下部内輪は玉軸受ハウジングに対して玉（転動体）を介して自由に回転することができる構造とする。この下部内輪の中心位置より半径方向に偏心した位置に軸を固定しこの軸に外形面を硬化処理したラジアル軸受を取付けることにより上記目的は達成される。
【０００５】
【発明の実施の形態】
以下、本発明の一実施例を図面を参照して説明する。先ず、同時二軸延伸機の基本構成を図１を用いて説明する。
【０００６】
図１において、１はシート状物、２はシート状物を把持し入口から出口までを案内する無端リンク装置のクリップを示している。シート状物１はスプロケット７，８，９で駆動されるリンク装置３により両側端部を予熱部（Ａ）入口で把持されて予熱後延伸部（Ｂ）で縦横２方向に同時に延伸された後、熱処理部（Ｃ）にて所定の熱処理が行われ、リンク装置３より外し部（Ｄ）にて離脱する。
【０００７】
図２は従来の摺動型リンク装置のスラスト受け１１をリンク軸１０に嵌合した縦断面図を示す。スラスト受け１１は摺動方向に方向性が無いのでリンク装置の走行方向とリンク軸との相対角度が任意に変化してもリンク軸１０に固定された状態で支障がない。
【０００８】
図３は本発明による転動走行型リンク装置用のラジアル軸受をリンク軸１０の下に取り付ける一例を示す。図４は図３のＡ−Ａ断面図を示す。リンク軸１０に上部内輪１５を嵌合し、玉１３を介して玉軸受ハウジング１４をガイドレール４，５に当接させて回転させる。一方、この玉軸受ハウジング１４には玉１３を介して上部内輪１５及びリンク軸１０とは縁切りして自由に回転出来る下部内輪１６が取付られている。この下部内輪１６の中心から半径方向に偏心量Ｌｅの位置に軸１７を取付け、この軸上に外形面に硬化処理を実施し硬化処理層を有するラジアル軸受１８を取付けることでリンク軸１０に対して任意にリンク装置の走行方向が変化してもラジアル軸受１８は容易に且つ確実に追随し走行時にアキシアル方向の過大な荷重が負荷するという問題を未然に防ぐことが出来る。玉軸受ハウジング１４とガイドレール４，５の内面との間には運転時の熱膨張差及び円滑な走行の確保を考慮して微少な間隙Ｋを設ける。
【０００９】
以上より本実施例の玉軸受ユニット１３，１４，１５，１６及びラジアル軸受１８を使用すればガイドレールに拘束されたままで高速で且つ円滑に走行し得るリンク装置を提供することが出来る。
【００１０】
【発明の効果】
本発明によれば走行時の抵抗が転がり摩擦抵抗のみとなるので走行抵抗が小さくなり従来の摺動型リンク装置以上の高速走行が可能となる。又、走行部に使用する玉軸受及びラジアル軸受にグリース封入方式の軸受を採用することにより外部から強制的に給油して運転する必要もないので油飛散の問題も解消する。
【図面の簡単な説明】
【図１】本発明による同時二軸延伸機の一実施例を示す全体組立の平面図である。
【図２】従来型同時二軸延伸機用摺動型リンク装置のリンク軸部の縦断面図である。
【図３】内輪を上下に２分割した玉軸受による転動型リンク装置用軸受部の一例を示す断面図である。
【図４】図３のＡ−Ａ断面図である。
【符号の説明】
１…シート状物、２…クリップ、３…リンク装置、４，５，６…ガイドレール、７，８，９…リンク装置駆動用スプロケット、１０…リンク軸、１１…スラスト受け、１２…玉軸受内輪、１３…玉（転動体）、１４…玉軸受ハウジング、１５…上部内輪、１６…下部内輪、１７…軸、１８…ラジアル軸受。
【図１】
0004694066.tif 000002
【図２】
0004694066.tif 000003
【図３】
0004694066.tif 000004
【図４】
0004694066.tif 000005